(57)【要約】【課題】  運転時に振動や音が発生することを防止できるミスト発生装置を提供する。【解決手段】    貯水室８内の水に下端を水没させ、回転により水を汲み上げて飛散させる筒状の回転体９と、駆動軸１５を回転体９の固定部１０に差し込んで固定部１０に差し込むネジ１７により駆動軸１５に回転体９が固定されたミストモータ１４と、つなぎ目が重なることで円筒状に形成され、回転体９により飛散された水が衝突する多孔体１３とを備えたミスト発生装置において、回転体の回転の中心に対して多孔体のつなぎ目の位置が、回転体の固定部に差し込むネジの位置に対して反対側に位置するように設けたので、回転体９と共に多孔体１３が回転する時に回転体９に発生する重心の偏りが、固定部１０の側面に差し込まれるネジ１７が溶接部２０の反対側に差し込まれていることで相殺されるものである。【選択図】  図５
2014200602.tif 000002
【特許請求の範囲】
【請求項１】
器具本体と、該器具本体内にあり水を貯水する貯水室と、前記貯水室内の水に下端を水没させ、回転により水を汲み上げて飛散口から周りに飛散させる筒状の回転体と、駆動軸を回転体の固定部に差し込んで固定部に差し込むネジにより駆動軸に回転体が固定され、回転体を回転駆動させるミストモータと、つなぎ目が重なることで円筒状に形成され、前記回転体に取り付けらることで回転体により飛散された水が衝突する多孔体と、該多孔体で水が破砕されることで発生するナノミストと負イオンを室内に供給する送風モータと、前記ミストモータと前記送風モータとを駆動させ、前記回転体を回転駆動させることで発生したナノミストと負イオンを送風口から室内に供給するミスト運転を制御する制御部とを備えたミスト発生装置において、前記回転体の回転の中心に対して多孔体のつなぎ目の位置が、回転体の固定部に差し込むネジの位置に対して反対側に位置するように設けたことを特徴とするミスト発生装置。
【発明の詳細な説明】
【技術分野】
【０００１】
この発明は、ナノミストと負イオンを発生させるミスト発生装置に関するものである。
【背景技術】
【０００２】
従来、この種のものにおいては、上部に複数の細孔を形成した回転体を軸支するミストモータを駆動させて貯水室の水を汲み上げ、回転体に形成した複数の飛散口から周囲に飛散した水を、回転体と共に回転する円筒状の多孔体からなる衝突体に衝突させることでナノミストと負イオンを発生させ、そして送風モータを駆動することで室内にナノミストと負イオンを送風するミスト運転を行うミスト発生装置があった。（例えば、特許文献１参照。）
【先行技術文献】
【特許文献】
【０００３】
【特許文献１】特開２０１１−１６０９１９号公報
【発明の概要】
【発明が解決しようとする課題】
【０００４】
ところでこの従来のものでは、多孔体を長方形状の金網の両端を重ねて溶接部を形成し、該溶接部をスポット溶接することにより円筒状に形成されていたが、溶接部が他の部分より重いため、回転体と共に回転する時に回転体の重心に偏りが発生し、振動や音が発生してしまうという問題があった。
【課題を解決するための手段】
【０００５】
上記課題を解決するために、本発明の請求項１では、器具本体と、該器具本体内にあり水を貯水する貯水室と、前記貯水室内の水に下端を水没させ、回転により水を汲み上げて飛散口から周りに飛散させる筒状の回転体と、駆動軸を回転体の固定部に差し込んで固定部に差し込むネジにより駆動軸に回転体が固定され、回転体を回転駆動させるミストモータと、つなぎ目が重なることで円筒状に形成され、前記回転体に取り付けらることで回転体により飛散された水が衝突する多孔体と、該多孔体で水が破砕されることで発生するナノミストと負イオンを室内に供給する送風モータと、前記ミストモータと前記送風モータとを駆動させ、前記回転体を回転駆動させることで発生したナノミストと負イオンを送風口から室内に供給するミスト運転を制御する制御部とを備えたミスト発生装置において、前記回転体の回転の中心に対して多孔体のつなぎ目の位置が、回転体の固定部に差し込むネジの位置に対して反対側に位置するように設けたものである。
【発明の効果】
【０００６】
この発明の請求項１によれば、回転体の回転の中心に対して多孔体のつなぎ目の位置が、回転体の固定部に差し込むネジの位置に対して反対側に位置するように設けたので、回転体と共に多孔体が回転する時に回転体に発生する重心の偏りが、固定部の側面に差し込まれるネジが溶接部の反対側に差し込まれていることで相殺され、それにより回転体が回転することにより振動や音が発生するのを防止できるものである。
【図面の簡単な説明】
【０００７】
【図１】この発明の一実施形態の外観を説明する斜視図。
【図２】同概略構成図。
【図３】同制御ブロック図。
【図４】同回転部を説明する正面図。
【図５】同回転部を説明する平面図。
【発明を実施するための形態】
【０００８】
次に、この発明の一実施形態におけるミスト発生装置を図に基づいて説明する。
１は器具本体、２は器具本体１上部に形成され複数のルーバー３が設置された送風口、４は器具本体１の正面上部を構成する上面パネル、５は器具本体１の正面下部を構成する下面パネル、６は運転スイッチ（図示せず）等複数のスイッチが備えられ各種操作指令を行う操作部、７は図示しないブレーカーを隠すブレーカーカバーである。
【０００９】
８は上面パネル４内に設置され所定量の水を貯水する貯水室であり、回転体９の筒状の下端が水没するように設けられているものである。
【００１０】
前記回転体９は、略円板状でその略中心に固定部１０を形成した回転体上部１１と、中空逆円錐形で上方に向かって径が徐々に拡大する回転体下部１２と、円筒状の多孔体１３からなるものである。
【００１１】
前記回転体上部１１の固定部１０には、ミストモータ１４の駆動軸１５が挿入され、その状態で固定部１０の側面に形成されネジ切りされたネジ穴１６に、ネジ１７を差し込むことにより固定部１０を駆動軸１５に押しつける状態となって、固定部１０が駆動軸１５に固定され、又、回転体上部１１には回転体下部１２をネジ（図示せず）にて固定するネジ受け部１８が複数形成されているもので、それによりミストモータ１４が駆動することで多孔体１３が回転体９と共に回転するものである。
【００１２】
又、前記回転体下部１２の上方には、円筒状の多孔体１３が回転体下部１２の上部外周に所定間隔を離間させて位置するように多孔体１２を取り付けるための多孔体取り付け部１９が形成されているものである。
【００１３】
又、前記多孔体１３は、長方形状の金網の両端を重ねて溶接部２０を形成し、該溶接部２０をスポット溶接することにより円筒状に形成されているものであり、多孔体１３を回転体下部１２の上部外周に取り付ける時、回転体の回転の中心に対して多孔体１３の溶接部２０の位置が、固定部１０の側面のネジ穴１６に差し込まれるネジ１７の位置に対して反対側に位置するように取り付けられているものである。
【００１４】
又、前記多孔体１３には、その全周壁に多数のスリットや金網やパンチングメタル等から成る衝突体としての多孔部２１が設置されており、ミストモータ１４を駆動させ、回転体９が回転することによる回転の遠心力で貯水室８の水を汲み上げると共に空気を飛散させ、その汲み上げた水を回転体下部１２の外壁および内壁を伝わせて押し上げ、回転体下部１２の外壁を伝わせて押し上げた水を周囲に飛散させると共に、回転体下部１２の内壁を伝わせて押し上げた水を回転体下部１２の上部端に形成された複数の飛散口２２から周囲に飛散させ、その飛散した水が多孔体１３の多孔部２１を通過して破砕されることで、水の粒子を微細化してナノメートル（ｎｍ）サイズのミストが生成すると共に、水の粒子の微細化によるレナード効果で負イオンを発生させるものである。
【００１５】
前記飛散口２２は、回転体下部１２の上部端全周に複数段形成されているが、図４に示すように上下段の飛散口２２の位置がずれて千鳥状に配列されるように形成したものである。
【００１６】
これにより飛散口２２から周囲に飛散せずに落下する水が少なくなって効率よく水が周囲に飛散し、ナノミストと負イオンの発生を多くすることができるものである。
【００１７】
２３は下面パネル５内に設置され所定の回転数で駆動する送風モータであり、器具本体１の下部から吸い込んだ室内空気を吹き出して、貯水室８と送風通路２４とを通過させて送風口２から送風することで、貯水室８内で発生させたナノミストと負イオンを含んだ加湿空気を室内に供給する。
【００１８】
２４は貯水室８内に設置され貯水を加熱する加熱ヒータであり、貯水室８の外壁に設置され貯水温度を検知する温度センサ２５で検知される温度が所定温度となるよう、ＯＮ／ＯＦＦ状態を適宜切り替える。
【００１９】
２６は貯水室８内に設置され、フロートが上下することで水位を検知する水位センサであり、貯水室８内の水位が低下して所定水位以下になったらＯＦＦ信号を出力し、水位が上昇して所定水位以上になったらＯＮ信号を出力し、更に水位が上昇して貯水室８内が満水となったら満水信号を出力する。
【００２０】
２７は貯水室８に接続され、貯水室８内に水道水を給水する給水管であり、該給水管２７の配管途中には、電磁弁を開閉して貯水室８内への給水を制御する給水弁２８と、給水圧を所定値まで減圧する減圧弁２９とが備えられている。
【００２１】
３０は貯水室８底部に接続され、貯水室８内の水を器具本体１外部に排水する硬質塩化ビニル管で構成された排水管であり、該排水管３０の配管途中には、電磁弁を開閉して貯水室８内の水の排水を制御する排水弁３１が備えれている。
【００２２】
３２は送風口２の壁面に設置され、送風口２から室内へ向けて送風される加湿空気の温度を検知する送風温度センサ、３３は送風モータ２３の近傍に設置され、送風モータ２３で吸い込む室内空気の温度を検知する吸気温度センサ、３４は前記吸気温度センサ３３の近傍に設置され、器具本体１が設置された室内の湿度を検知する湿度センサであり、各センサで検知された温度や湿度に基づいて、ミストモータ１４や送風モータ２３の回転数を変化させ、加熱ヒータ２４のＯＮ／ＯＦＦ状態を切り替える。
【００２３】
３５は各センサで検知された検知値や操作部６上に備えられた各スイッチでの設定内容に基づき、運転内容や弁の開閉を制御するマイコンで構成された制御部であり、ミストモータ１４を所定の回転数で駆動させるミストモータ制御手段３６と、送風モータ２３を所定の回転数で駆動させる送風モータ制御手段３７と、加熱ヒータ２４のＯＮ／ＯＦＦ状態を変化させて貯水室８内の水温を制御する加熱ヒータ制御手段３８と、特定の動作開始時から経過した時間をカウントする計時手段３９とが備えられている。
【００２４】
次に、この実施形態での運転動作について説明する。
まず、操作部６の運転スイッチが操作されると、制御部３５は、排水弁３１を開放して貯水室８内の水を排水し、水位センサ２６でＯＦＦ信号が検知されたら、給水弁２８を開放して貯水室８内を水で洗い流すクリーニング動作を行い、所定時間経過したら排水弁３１を閉止することで給水弁２８から流入する水を貯水室８内に供給し、水位センサ２６でＯＮ信号が検知されたら、所定量の水が貯水室８内に供給されたとして給水弁２０を閉止する水入替モードを行う。
【００２５】
そして水入替モードが終了したら、制御部３５は、温度センサ２５での検知値に基づき、加熱ヒータ２４を駆動させて貯水温度が所定温度の範囲内（例えば、６３℃から６５℃の間）となるよう加熱ヒータ制御手段３８で制御し、ミストモータ１４及び送風モータ２３が所定の回転数となるようミストモータ制御手段３６及び送風モータ制御手段３７で制御する立ち上げモードを行う。
【００２６】
前記立ち上げモードが終了したら、制御部３５は、加湿スイッチ（図示せず）及び風量スイッチ（図示せず）で設定された加湿レベルと風量レベルに基づいて、ミストモータ１４と送風モータ２３とが所定の回転数で駆動するようミストモータ制御手段３６と送風モータ制御手段とで回転数を制御し、温度センサ２５の検知値に基づいて加熱ヒータ１６のＯＮ／ＯＦＦ状態を加熱ヒータ制御手段３８で切り替えて制御することで、貯水室内の貯水温度を加湿レベルと風量レベルとに合わせた所定の温度範囲内にするミスト運転を実行する通常運転モードを行うものである。
【００２７】
ここで通常運転モードを詳述すると、ミストモータ制御手段３６によりミストモータ１４を８００〜１４００ｒｐｍの範囲内で回転数を変化させ、また、送風モータ制御手段３７で送風モータ２３を４００〜８００ｒｐｍの範囲内で回転数を変化させることで、風量レベルに合った回転数にしたミスト運転を行い、更に、送風温度センサ３２で検知される温度が加湿レベルに合った値となるよう貯水室８内の貯水温度を変化させ、温度センサ２５で検知される温度が約３０〜４０℃の範囲内で推移するように加熱ヒータ２４のＯＮ／ＯＦＦ状態を加熱ヒータ制御手段３８で切り替えて制御するものである。
【００２８】
これによりミストモータ１４を駆動して回転体９が回転することより、その回転の遠心力で貯水室８の水を回転体９が汲み上げると共に空気を飛散させ、その汲み上げた水を回転体下部１２の外壁および内壁を伝わせて押し上げ、回転体下部１２の外壁を伝わせて押し上げた水を周囲に飛散させると共に、回転体下部１２の内壁を伝わせて押し上げた水を回転体下部１２の上部端に形成された複数の飛散口２２から周囲に飛散させ、その飛散した水が多孔体１３の多孔部２１を通過して破砕されることで、水の粒子を微細化してナノメートル（ｎｍ）サイズのミストが生成すると共に、水の粒子の微細化によるレナード効果で負イオンを発生させるものであるが、回転体下部１２の上部端全周に複数段形成された複数の飛散口２２が上下段の飛散口２２の位置がずれて千鳥状に配列されるように形成したので、飛散口２２から周囲に飛散せずに落下する水が少なくなって効率よく水が周囲に飛散し、ナノミストと負イオンの発生を多くすることができるものである。
【００２９】
又、多孔体１３を回転体下部１２の上部外周に取り付ける時、多孔体１３の溶接部２０が固定部１０の側面のネジ穴１６に差し込まれるネジ１７と反対側に位置するように取り付けられているもので、回転体９と共に多孔体１３が回転する時に回転体９に発生する重心の偏りが、固定部１０の側面に差し込まれるネジ１７が溶接部２０の反対側に差し込まれていることで相殺され、それにより回転体９が回転することにより振動や音が発生するのを防止できるものである。
【００３０】
又、回転体上部１１の固定部１０にミストモータ１４の駆動軸１５が挿入され、その状態で固定部１０の側面に形成されネジ切りされたネジ穴１６に、ネジ１７を差し込むことにより固定部１０を駆動軸１５に押しつける状態となって、固定部１０が駆動軸１５に固定されるので、固定部１０と駆動軸１５との隙間により回転体９が回転する時にぶれることがなくなり、それにより回転時に回転体９に重心の偏りが発生するのを防止して、回転体９が回転することにより振動や音が発生するのを防止できるものである。
【符号の説明】
【００３１】
１  器具本体
８  貯水室
９  回転体
１０  固定部
１３  多孔体
１４  ミストモータ
１５  駆動軸
１７  ネジ
２０  溶接部
２２  飛散口
２３  送風モータ
３５  制御部
【図１】
2014200602.tif 000003
【図２】
2014200602.tif 000004
【図３】
2014200602.tif 000005
【図４】
2014200602.tif 000006
【図５】
2014200602.tif 000007